(57)【要約】【課題】本発明は、プレキャストコンクリート板若しくはデッキプレートによる高減衰スラブに係り、詳しくは、スラブの振動エネルギー吸収を高め、振動性状を改善して、スラブを薄くすることが課題である。【解決手段】支点２間に梁状板３が架設されるとともに、隣接する前記梁状板の長手方向に沿った側面３ａ間に、減衰材４が離間されて設けられている高減衰スラブ１とする。【選択図】    図１
2004346604.tif 000002
【特許請求の範囲】
【請求項１】
支点間に梁状板が架設されるとともに、隣接する前記梁状板の間にその長手方向に沿って、減衰材が離間されて設けられていること、
を特徴とする高減衰スラブ。
【請求項２】
減衰材が、隣接する梁状体の両側壁面に貼着されて狭装されたシート状の粘弾性材であること、
を特徴とする請求項１に記載の高減衰スラブ。
【請求項３】
減衰材が、隣接する梁状体における一方の側壁に上部開口されて固定された箱状体内に収納された粘性体と、該粘性体に一端部が没入され他端部が他方の梁状体に支持されている抵抗板とからなること、
を特徴とする請求項１に記載の高減衰スラブ。
【請求項４】
減衰材が、間隔維持用のスペーサを内包した可撓性の袋体と、該袋体内に収納された粘弾性体または粘性体とからなること、
を特徴とする請求項１に記載の高減衰スラブ。
【請求項５】
減衰材が、隣接された両側梁状体における片側の梁状体に固定されるとともに一部が他側の梁状体に設けられた凹部に鉛直方向へ摺動可能状態にして没入されて跨設された断面略Ｕ字型若しくは断面略Ｌ字型の抵抗体と、前記凹部に所要量充填される粘性体とからなること、
を特徴とする請求項１に記載の高減衰スラブ。
【請求項６】
抵抗体が、鋼管で形成されその略上部位置にエアー抜き孔が設けられていること、
を特徴とする請求項５に記載の高減衰スラブ。
【請求項７】
粘性体が、下層に低粘性で高比重の粘性体とし、上層に高粘性で低比重の粘性体とした２種の粘性体で形成され、前記下層の粘性体から上方の外部に連通する管が設けられていること、
を特徴とする請求項５に記載の高減衰スラブ。
【請求項８】
減衰材が、隣接された両梁状体間に架け渡して固着された塑性体または金属であること、
を特徴とする請求項１に記載の高減衰スラブ。
【発明の詳細な説明】
【０００１】
【発明の属する技術分野】
本発明は、プレキャストコンクリート（以下、ＰＣ）板若しくはデッキプレートによる高減衰スラブに係り、詳しくは、スラブの振動エネルギー吸収を高めて、振動性状を改善することで、スラブを薄くしたり、大スパン化するようにした高減衰スラブに関する。
【０００２】
【従来の技術】
従来において、ＰＣ板を梁等の支点間に架け渡して隣接させて敷設し、その隣接するＰＣ板間に接続用のコンクリートを流し込んで、スラブを構築している。
【０００３】
また、鋼製の折板を支点間に敷設して、その折板の打設空間部にコンクリートを打設して、スラブを構築するものが知られている（例えば、特許文献１参照。）。
【０００４】
【特許文献１】
特開平８−８６０８１号公報（第２−４頁、第１図乃至第３図）
【０００５】
【発明が解決しようとする課題】
しかしながら、このようなＰＣ板や鋼製折り板によってスラブを構築すると、スラブの振動性状を良くするために、剛性を高めることで対処している。よって、前記振動性状を改善して、より薄いスラブにするとともに、大スパン化するには、解決すべき課題がある。本発明に係る高減衰スラブはこのような課題を解決するために提案されたものである。
【０００６】
【課題を解決するための手段】
上記課題を解決するために、本発明に係る高減衰スラブの要旨は、支点間に梁状板が架設されるとともに、隣接する前記梁状板の間にその長手方向に沿って、減衰材が離間されて設けられていることである。
【０００７】
前記減衰材が、隣接する梁状体の両側壁面に貼着されて狭装されたシート状の粘弾性材であること、；
前記減衰材が、隣接する梁状体における一方の側壁に上部開口されて固定された箱状体内に収納された粘性体と、該粘性体に一端部が没入され他端部が他方の梁状体に支持されている抵抗板とからなること、；
前記減衰材が、間隔維持用のスペーサを内包した可撓性の袋体と、該袋体内に収納された粘弾性体または粘性体とからなること、；
前記減衰材が、隣接された両側梁状体における片側の梁状体に固定されるとともに一部が他側の梁状体に設けられた凹部に鉛直方向へ摺動可能状態にして没入されて跨設された断面略Ｕ字型若しくは断面略Ｌ字型の抵抗体と、前記凹部に所要量充填される粘性体とからなること、；
前記抵抗体が、鋼管で形成されその略上部位置にエアー抜き孔が設けられていること、；
前記粘性体が、下層に低粘性で高比重の粘性体とし、上層に高粘性で低比重の粘性体とした２種の粘性体で形成され、前記下層の粘性体から上方の外部に連通する管が設けられていること、；
前記減衰材が、隣接された両梁状体間に架け渡して固着された塑性体または金属であること、を含むものである。
【０００８】
本発明に係る高減衰スラブによれば、隣接するＰＣ板等が減衰材を介して接合されていることから、上下振動の振動性状が改善され、スラブの薄型化に貢献できる。また、減衰材の構成が簡易で部品点数が少なく、組立工数も削減されている。減衰部材による減衰性能も、エアー抜き孔や連通用の管等により、所望の設定通りに良好に維持される。
【０００９】
【発明の実施の形態】
次に、本発明に係る高減衰スラブについて、図面を参照して説明する。
【００１０】
図１（Ａ），（Ｂ）に示すように、高減衰スラブ１は、梁２等の支点間に、ＰＣ板（例えばスパンクリート：商品名）若しくは鋼製の折板にコンクリートを打設・充填して成る梁状板３が架設されるとともに、隣接する前記梁状板３の長手方向に沿った側面３ａの間に、減衰材４が離間されて設けられている。なお、図１（Ｃ），（Ｄ）に示すように、前記梁状板３に水平変形力に対する面内剪断剛性を付与するために、前記梁２の上面において、ＰＣ板端部の空隙内に埋め込み定着した鉄筋２ａの一端部を溶接手段で固着し、この鉄筋２ａによって前記梁状体３を固定することで、面内剪断力に抵抗するようにしている。
【００１１】
前記減衰材４が、梁状板３の間に介在することで、両梁状体間の相対変位を利用して、上下振動の振動エネルギーを吸収して、スラブの振動性状を改善するものである。また、前記減衰材４を離間させる形態は、例えば、全長に亘って、若しくは、支点間の１／２の位置、若しくは１／４の位置等とするものである。
【００１２】
前記減衰材４は、例えば、図２（Ａ）に示すように、シート状のゴム等の粘弾性材４ａを両梁状板３の側面３ａに貼着されて、狭装されている。そして、前記対向した側面３ａの間隙を、所定の間隙に調整するセパレータ（例えば、２ｍｍ程度の板厚）を、適宜箇所（例えば、２〜３箇所）に挟んでいる。
【００１３】
なお、前記側面３ａ，３ａの間の空間部６には、図２（Ｂ）に示すように、乾式耐火材としての耐火材７が詰められ、上部の目地には、伸縮目地材８が充填されるものである。また、前記粘弾性材４ａは、高さが略２０ｍｍ程度で、長手方向の長さが略１００ｍｍ程度である。
【００１４】
前記減衰材４の他の実施例を示す。図３に示すように、片側の梁状板３の側面３ａに、粘性体４ｂを上部開口された箱状体９に収納し、他方の梁状板３に支持された抵抗体１０の本体部を前記粘性体４ｂの中に没入させるものである。前記粘性体４ｂは、例えば、シリコンオイル、ポリブデン、イソプレンゴム等である。
【００１５】
図４に示す他の実施例は、前記箱状体を形成する別の例を示すものであり、上コ字状の弾性部材１１を片側の梁状板３の側面３ａに平板体１２を介して接着剤で接着し、粘弾性体４ａまたは粘性体４ｂを前記弾性部材１１で囲まれた中に収納し、この梁状板３を隣接する梁状板３に、耐火材７及び伸縮目地材８を挟んで引き寄せるものである。簡易な構成で減衰材である粘弾性体４ａまたは粘性体４ｂを保持することができる。
【００１６】
図５に示す他の実施例は、前記箱状体を形成するのに、チェッカードプレート１３を使用したものである。このチェッカードプレート（縞鋼板）１３の表面の凹凸（略２ｍｍ程度）の空間が、粘弾性体４ａまたは粘性体４ｂを収納する空間となる。なお、対向配置に金属製平板１４が摺接するように当接される。前記チェッカードプレート１３と平板１４とは、ともに、ボルト１５で梁状板３に固定される。これによれば、チェッカードプレート１３の表面の凹凸の高さが決まっているので、梁状板３，３を引き寄せる際に、セパレータを挟む必要が無く、効率的に施工できるものである。
【００１７】
図６に示す他の実施例は、梁状板３，３間の上下の目地に嵌装される伸縮目地材８によって、粘弾性体４ａまたは粘性体４ｂの上下を押さえるようにしたものである。なお、梁状板３の長手方向における前記粘弾性体４ａまたは粘性体４ｂの押さえは、耐火材７等で行うものである。粘弾性体４ａまたは粘性体４ｂを収納するための特別な箱状体を必要とせず、部品点数が少なく、簡易に構築できる。
【００１８】
図７に示す他の実施例は、粘弾性体４ａまたは粘性体４ｂを可撓性のある柔軟な袋体１６に収納してあるものである。なお、前記袋体１６の内部には、間隙維持のためにリング状のスペーサ１７が内包されている。前記袋体１６は、フィルム若しくはゴムなどにより形成されている。粘弾性体４ａまたは粘性体４ｂの収納および保持が容易となるものである。
【００１９】
図８に示す他の実施例は、前記袋体１６における更なる他の例を示すものであり、前記スペーサ１７を内包する代わりに、前記袋体１６の内部から一体に突出させた突起１６ａを適宜箇所に設けたものである。部品点数を削減させることができる。
【００２０】
図９乃至図１３に示す他の実施例は、梁状板３の目地（空間部６）近傍に設けられた凹部に収納された粘性体と抵抗体からなる減衰材の例を示すものである。まず、図９に示すものは、空間部６の上部において、両梁状板３に切欠き部３ｂを設け、その切欠き部３ｂの底面から更に下に向けて、丸形又は矩形状等の凹部３ｃ，３ｄを設ける。
【００２１】
そして、全体形状が略Ｕ字状で、その直線部２４ａ，２４ｂが前記凹部３ｃ，３ｄに跨設して遊嵌される、鋼棒等の剛性な抵抗体２４が用意され、図９（Ｂ）に示すように、凹部３ｄに抵抗体２４の直線部２４ｂが遊嵌された間隙には、モルタル２９が充填されて一体にされる。
【００２２】
他方の前記凹部３ｃに前記抵抗体２４の直線部２４ａが、鉛直方向へ摺動可能状態に遊嵌され没入された間隙には、粘性体４ｂを収納する。この粘性体４ｂは、下層に低粘性で高比重の粘性体４ｃとし、上層に高粘性で低比重の粘性体４ｄとした２種の粘性体で形成されている。そして、前記下層の粘性体４ｃから上方の外部に連通する管２８が設けられている。
【００２３】
このような、鋼棒等の抵抗体２４を隣接した梁状体３，３に跨設させて、その一部を粘性体４ｂに没入させることで減衰材とするものである。これにより、上下動の振動があると、前記抵抗体２４の表面と粘性体４ｄとの摩擦抵抗で振動エネルギーが吸収され減衰される。また、直線部２４ａの下面で上下方向に押される粘性体４ｃが、前記管２８により上方へと容易に逃げるので、抵抗体２４の上下方向の移動の障害とならない。よって、前記直線部２４ａの周側面と粘性体４ｄとの摺接による減衰量を、精度良く設定することができる。
【００２４】
図１０（Ａ），（Ｂ）に示す例は、略Ｕ字状の鋼管により、凹部３ｄに遊嵌された当該鋼管の直線部２４ｂはモルタル２９により固定し、凹部３ｃには当該鋼管の直線部２４ａが鉛直方向へ摺動可能状態にして没入されて、跨設された抵抗体２４ｃが形成されている。
【００２５】
更に、当該鋼管の略上部位置には、エアー抜き孔２４ｄが設けられている。このエアー抜き孔２４ｄは、上下振動による粘性体４ｂの振動により、鋼管内部の空気が圧縮されて、抵抗体２４ｃの減衰性能に悪影響を与えないようにするものである。
【００２６】
図１１に示す例は、抵抗体を矩形状の門型にした平板体で形成して抵抗体２５としたものである。梁状板３の凹部３ｃ，３ｄ形状も、前記抵抗体２５の脚部を遊嵌させ、且つ、上部が梁状体上面から突出しないようにして跨設させるように、該抵抗体２５の形状に合わせてある。
【００２７】
図１２に示す例は、水平に載置させる矩形状の平板体２６と、この平板体２６の下面に溶着等されて略鉛直に固着される垂設部２６ａとで略Ｌ字型の抵抗体に構成されている。そして、梁状体３への取付け固定用に、ボルト２７挿通用のボルト孔２６ｂが２箇所に穿孔されている。また、管２８挿通用の貫通孔２６ｅが上下に貫通させて設けられている。
【００２８】
図１３に示すように、減衰材として組立られた状態では、一方の梁状体３の凹部３ｃに前記垂設部２６ａが遊嵌され、鉛直方向に摺動可能状態にされている。
【００２９】
また、その間隙には、下層に低粘性で高比重の粘性体４ｃと、上層に高粘性で低比重の粘性体４ｄとの２種の粘性体で形成される粘性体４ｂが収納される。前記管２８の下端部が前記粘性体４ｃ中に挿通される。他方の梁状体３に設けた凹部３ｄ，３ｄには、ネジ溝が刻設されている。
【００３０】
前記ボルト２７を平板体２６のボルト孔２６ｂに挿通させて凹部３ｄのネジ溝に締結することにより、前記平板体２６が凹部３ｂ，３ｂに収められて、固定されるものである。これらの実施例では、梁状板３、３の間隙を所定の間隙に設定する必要があるので、セパレータが使用される。
【００３１】
こうして、前記略Ｕ字形の鋼棒を使用したもの（図９参照）と同様に、垂設部２６ａの周側面と粘性体４ｄとの摺接による減衰量を、精度良く設定することができる。また、抵抗体の平板体２６がボルト２７を外すことで交換できるので、リユースが容易である。
【００３２】
また、図１４に示す例は、前記平板体２６の垂設部を、溶接等の固着手段により、鋼管２６ｃを取り付けて、抵抗体とした変形例である。前記鋼管２６ｃの上部の空気が粘性体４ｂにより圧縮されて、抵抗体の上下振動における減衰作用の障害と成らないように、外気に連通させたエアー抜き孔２６ｄが上部で水平方向に設けられている。この実施例においても、鋼管２６ｃの周側面と粘性体４ｂとの摩擦抵抗により、減衰作用するものである。
【００３３】
図１５に示す他の実施例は、梁状板３，３の目地位置の下面に減衰材として塑性体４ｅを架け渡して固着した例である。この塑性体４ｅの材料は、例えば、鉛である。この塑性体４ｅは、梁状板３，３の空間部６に耐火材７および上部に伸縮目地材８を挟んで、間隙調整用のセパレータで所定の間隙になるように梁状板３を移動させて敷設した後に、下側から取付金物１８で塑性体４ｅを固着するものである。このようにすると、施工が容易となり、大幅なコスト低減につながる。
【００３４】
前記梁状板３を梁２に架け渡す際に、階高を高くするための実施例である。図１６に示すように、梁２のフランジ２ａの端部に、載架部１９ａを有した吊り金物１９を予めボルト２０・ナット２１で固定しておく。そして、梁状板３を、その端部を前記載架部１９ａ上に載せて、前記減衰材４を離間して設けて敷設した後、直列方向の梁状板３，３の間隙部には、コンクリート２２が打設される。このように、梁２に敷設される梁状板３を板厚の１／２〜３／４程度を下げたので、その分だけ、階高が高くなるものである。
【００３５】
【発明の効果】
上記説明したように、本発明に係る高減衰スラブは、支点間に梁状板が架設されるとともに、隣接する前記梁状板の長手方向に沿って、減衰材が離間されて設けられているので、プレキャスト板によるスラブの振動性状が改善されて、スラブの厚さを現状よりも一層薄くすることができると言う優れた効果を奏するものである。
【００３６】
前記減衰材が、隣接する梁状体の両側壁面に貼着されて狭装されたシート状の粘弾性材であるので、構成が簡易でその組立にも手間が掛からないものである
【００３７】
前記減衰材が、隣接する梁状体における一方の側壁に上部開口されて固定された箱状体内に収納された粘性体と、該粘性体に一端部が没入され他端部が他方の梁状体に支持されている抵抗板とからなるので、取付及び組立が簡単である。
【００３８】
減衰材が、間隔維持用のスペーサを内包した可撓性の袋体と、該袋体内に収納された粘性体とからなるので、袋体毎の交換が容易となり手間が省ける。
【００３９】
前記減衰材が、隣接された両側梁状体における片側の梁状体に固定されるとともに一部が他側の梁状体に設けられた凹部に鉛直方向へ摺動可能状態にして没入されて跨設された断面略Ｕ字型若しくは断面略Ｌ字型の抵抗体と、前記凹部に所要量充填される粘性体とからなるので、簡易な構成で取付も容易であり、実用性が高いと言う優れた効果を奏するものである。
【００４０】
前記抵抗体が、鋼管で形成されその略上部位置にエアー抜き孔が設けられているので、減衰性能が設定通りに維持される。
【００４１】
粘性体が、下層に低粘性で高比重の粘性体とし、上層に高粘性で低比重の粘性体とした２種の粘性体で形成され、前記下層の粘性体から上方の外部に連通する管が設けられているので、前記下層の粘性体により抵抗体の上下方向の側壁面と上層の高粘性の粘性体との摩擦抵抗で振動エネルギーが減衰されるようになる。また、前記管により下層の粘性体の抵抗が抑制され、抵抗体が自由に鉛直方向に振動して、減衰性能が維持される。
【図面の簡単な説明】
【図１】本発明に係る高減衰スラブ１の概略構成を示す正面図（Ａ）、平面図（Ｂ）、正面図の一部拡大図（Ｃ）、平面図の一部拡大図（Ｄ）である。
【図２】同本発明に係る高減衰スラブ１の一部拡大構成図（Ａ）、詳細拡大図（Ｂ）である。
【図３】同本発明に係る高減衰スラブ１の他の実施例を示す一部拡大説明図である。
【図４】同本発明に係る高減衰スラブ１の他の実施例を示す一部拡大説明図である。
【図５】同本発明に係る高減衰スラブ１の他の実施例を示す一部拡大説明図である。
【図６】同本発明に係る高減衰スラブ１の他の実施例を示す一部拡大説明図である。
【図７】同本発明に係る高減衰スラブ１の他の実施例を示す一部拡大説明図である。
【図８】同本発明に係る高減衰スラブ１の他の実施例を示す一部拡大説明図である。
【図９】同本発明に係る高減衰スラブ１の他の実施例で、抵抗体２４が鋼棒である場合の、組立前の一部拡大斜視図（Ａ）、組立後の断面斜視図（Ｂ）、一部底面図（Ｃ）である。
【図１０】同本発明に係る高減衰スラブ１の他の実施例で、抵抗体２４ｃが鋼管である場合の、組立前の一部拡大斜視図（Ａ）、組立後の断面斜視図（Ｂ）である。
【図１１】同本発明に係る高減衰スラブ１の他の実施例で、抵抗体が門型の平板体２５である場合の、組立前の一部拡大斜視図（Ａ）、組立後の断面斜視図（Ｂ）である。
【図１２】同本発明に係る高減衰スラブ１の他の実施例で、抵抗体の組立前の一部拡大説明図である。
【図１３】同本発明に係る高減衰スラブ１の他の実施例で、組立後の一部拡大説明図である。
【図１４】同本発明に係る高減衰スラブ１の他の実施例を示す一部拡大説明図である。
【図１５】同本発明に係る高減衰スラブ１の他の実施例を示す一部拡大説明図（Ａ），（Ｂ）である。
【図１６】同本発明に係る高減衰スラブ１において、階高を高くする為の実施例を示す正面図（Ａ）、一部平面図（Ｂ）、一部拡大図（Ｃ）である。
【符号の説明】
１              高減衰スラブ、          ２          梁、
３              梁状板、                ３ａ        側面、
３ｃ，３ｄ      凹部、
４              減衰材、                ４ａ        粘弾性体、
４ｂ            粘性体、
４ｃ            低粘性で高比重の粘性体、
４ｄ            高粘性で低比重の粘性体、４ｅ        塑性体
５              剥離紙、                ６          空間部、
７              耐火材、                ８          伸縮目材、
９              箱状体、                １０        抵抗体、
１１            弾性部材、              １２        平板体、
１３            チェッカードプレート、  １４        金属製平板、
１５            ボルト、                １６        袋体、
１７            スペーサ                １８        取付金物、
１９            吊り金物、              １９ａ      載架部、
２０            ボルト、                ２１        ナット、
２２            コンクリート、
２４，２４ｃ    抵抗体、                            ２４ｄ      エアー抜き孔、
２５            抵抗体、                ２６        平板体、
２６ａ          垂設部、                ２６ｂ      ボルト孔、
２６ｃ          鋼管、                  ２６ｄ      エアー抜き孔、
２６ｅ          貫通孔、
２７            ボルト、                ２８        管、
２９            モルタル。
【図１】
2004346604.tif 000003
【図２】
2004346604.tif 000004
【図３】
2004346604.tif 000005
【図４】
2004346604.tif 000006
【図５】
2004346604.tif 000007
【図６】
2004346604.tif 000008
【図７】
2004346604.tif 000009
【図８】
2004346604.tif 000010
【図９】
2004346604.tif 000011
【図１０】
2004346604.tif 000012
【図１１】
2004346604.tif 000013
【図１２】
2004346604.tif 000014
【図１３】
2004346604.tif 000015
【図１４】
2004346604.tif 000016
【図１５】
2004346604.tif 000017
【図１６】
2004346604.tif 000018